(57)【要約】【課題】断熱性に優れた断熱材複合タイルの施工構造を提供する。【解決手段】断熱材複合タイル１は、空洞部２ａを有したタイル本体２と、該空洞部２ａに充填されたポリウレタンフォーム、ポリスチレンフォーム等の合成樹脂発泡体よりなる発泡断熱材３とを有する。断熱材複合タイル１が建築物の躯体壁面４に対しシリコン系等の弾性接着剤５を介して接着され、各タイル１同士の目地間隙に断熱性目地材６が充填されている。この断熱性目地材６は、タイル１の端面に露呈した発泡断熱材３の全体を覆っている。断熱性目地材としては、ＥＰＤＭ系、ＥＰＭ系等の弾性接着剤に中空バルーンを混合したものが好適である。【選択図】図１
2006070586.tif 000002
【特許請求の範囲】
【請求項１】
断熱材複合タイルが壁面に取り付けられ、該断熱材複合タイル同士の間に目地材が介在されたタイル施工構造であって、
該断熱材複合タイルは、一端面から他端面にまで達する断熱材充填部を有したタイル本体と、該断熱材充填部内に充填された発泡断熱材とを有したものであるタイル施工構造において、
該目地材は断熱性目地材であり、該断熱材複合タイルの端面に露呈した発泡断熱材の全面を覆っていることを特徴とするタイル施工構造。
【請求項２】
請求項１において、該断熱性目地材が該断熱材複合タイルの前面の縁部にまで回り込んでいることを特徴とするタイル施工構造。
【請求項３】
請求項２において、該断熱材複合タイルのタイル本体は、断熱材充填部として、裏面から凹陥する凹条を備えたものであることを特徴とするタイル施工構造。
【請求項４】
請求項１において、該断熱性目地材は板状であり、前記断熱材複合タイルの端面に対し接着剤で接着されていることを特徴とするタイル施工構造。
【請求項５】
請求項１ないし３のいずれか１項において、前記断熱性目地材は、中空バルーンを含有した断熱性接着剤よりなることを特徴とするタイル施工構造。
【請求項６】
請求項５において、該断熱性接着剤によって断熱材複合タイルの裏面が壁面に接着されていることを特徴とするタイル施工構造。
【請求項７】
請求項１ないし６のいずれか１項において、該断熱性目地材の熱伝導率が該発泡断熱材の熱伝導率と同じか又はそれよりも小さいことを特徴とするタイル施工構造。
【請求項８】
請求項４の施工構造とするためのタイル施工方法であって、
隣接配置される前記断熱材複合タイルのうち一方の第１の断熱材複合タイルの一方の前記端面に露呈した発泡断熱材の全面を覆うように板状の断熱性目地材を該一方の端面に接着剤で接着しておき、
該第１の断熱材複合タイルを壁面に取り付け、
この板状の断熱性目地材に対し、該第１の断熱材複合タイルに隣接配置される第２の断熱材複合タイルの前記端面を接着剤を介して接着するようにして該第２の断熱材複合タイルを壁面に取り付けることを特徴とする断熱材複合タイルの施工方法。
【請求項９】
請求項８において、該第２の断熱材複合タイルの一方の前記端面に接着剤を塗着しておくと共に他方の前記端面に接着剤を介して板状の断熱性目地材を接着しておき、第２の断熱材複合タイルの該一方の端面を第１の断熱材複合タイルに接着されている前記断熱性目地材に対し当てるようにして該第２の断熱材複合タイルを壁面に取り付けることを特徴とする断熱材複合タイルの施工方法。
【発明の詳細な説明】
【技術分野】
【０００１】
本発明は断熱材複合タイルを壁面に取り付けたタイル施工構造及び施工方法に係り、特に目地部の断熱性に優れたタイル施工構造及び施工方法に関する。
【背景技術】
【０００２】
建物外壁の外面に断熱性タイルを取り付けた外断熱壁構造が特開２００２−３０７８６号公報に記載されている。同号公報のタイルは、偏平な貫通孔よりなる中空部を有したものであり、中空部内に樹脂発泡体よりなる断熱材が挿入されている（第００１９段落）。
【０００３】
同号の外断熱壁構造の一態様では、タイルは、上辺から上方に雄実が突設され、下辺には雌実が凹設された相抉り形状のものであり、壁面に取り付け施工する際には下段側タイルの雄実に対し上段側タイルの雌実が係合される。なお、同号のタイルは、裏面にアリ溝が設けられており（第００１６段落）、壁面に設けられた係止部に対し該アリ溝を係止させることにより壁面に取り付け施工される（第００３２段落）。タイルの縦目地にはモルタル等の目地材が充填される（第００３４段落）。
【０００４】
同号の別態様（第００３３〜００３４段落及び図１１〜１２）では、タイルの４辺同士の間に目地間隙が形成され、この目地間隙にモルタル等の目地材が充填されている。タイルはモルタル等の接着剤で外壁に張り付けられる。
【特許文献１】特開２００２−３０７８６号公報
【発明の開示】
【発明が解決しようとする課題】
【０００５】
上記特開２００２−３０７８６号公報のタイル施工構造では、目地間隙にモルタル等の目地材が充填されているが、このモルタルは熱伝導率が断熱性タイル内部の断熱材に比べて高いので、このモルタル目地が熱橋となり、壁面の断熱性が低下する。
【０００６】
本発明は、断熱性に優れた断熱材複合タイルの施工構造及び施工方法を提供することを目的とする。
【課題を解決するための手段】
【０００７】
本発明（請求項１）のタイル施工構造は、断熱材複合タイルが壁面に取り付けられ、該断熱材複合タイル同士の間に目地材が介在されたタイル施工構造であって、該断熱材複合タイルは、一端面から他端面にまで達する断熱材充填部を有したタイル本体と、該断熱材充填部内に充填された発泡断熱材とを有したものであるタイル施工構造において、該目地材は断熱性目地材であり、該断熱材複合タイルの端面に露呈した発泡断熱材の全面を覆っていることを特徴とするものである。
【０００８】
請求項２のタイル施工構造は、請求項１において、該断熱性目地材が該断熱材複合タイルの前面の縁部にまで回り込んでいることを特徴とするものである。
【０００９】
請求項３のタイル施工構造は、請求項２において、該断熱材複合タイルのタイル本体は、断熱材充填部として、裏面から凹陥する凹条を備えたものであることを特徴とするものである。
【００１０】
請求項４のタイル施工構造は、請求項１において、該断熱性目地材は板状であり、前記断熱材複合タイルの端面に対し接着剤で接着されていることを特徴とするものである。
【００１１】
請求項５のタイル施工構造は、請求項１ないし３のいずれか１項において、前記断熱性目地材は、中空バルーンを含有した断熱性接着剤よりなることを特徴とするものである。
【００１２】
請求項６のタイル施工構造は、請求項５において、該断熱性接着剤によって断熱材複合タイルの裏面が壁面に接着されていることを特徴とするものである。
【００１３】
請求項７のタイル施工構造は、請求項１ないし６のいずれか１項において、該断熱性目地材の熱伝導率が該発泡断熱材の熱伝導率と同じか又はそれよりも小さいことを特徴とするものである。
【００１４】
請求項８の断熱材複合タイルの施工方法は、請求項４の施工構造とするためのタイル施工方法であって、隣接配置される前記断熱材複合タイルのうち一方の第１の断熱材複合タイルの一方の前記端面に露呈した発泡断熱材の全面を覆うように板状の断熱性目地材を該一方の端面に接着剤で接着しておき、該第１の断熱材複合タイルを壁面に取り付け、この板状の断熱性目地材に対し、該第１の断熱材複合タイルに隣接配置される第２の断熱材複合タイルの前記端面を接着剤を介して接着するようにして該第２の断熱材複合タイルを壁面に取り付けることを特徴とするものである。
【００１５】
請求項９の断熱材複合タイルの施工方法は、請求項８において、該第２の断熱材複合タイルの一方の前記端面に接着剤を塗着しておくと共に他方の前記端面に接着剤を介して板状の断熱性目地材を接着しておき、第２の断熱材複合タイルの該一方の端面を第１の断熱材複合タイルに接着されている前記断熱性目地材に対し当てるようにして該第２の断熱材複合タイルを壁面に取り付けることを特徴とするものである。
【発明の効果】
【００１６】
本発明（請求項１）のタイル施工構造は、目地材として断熱性目地材を用いており、目地部の断熱性に優れる。また、この断熱性目地材が断熱材複合タイルの端面に露呈した発泡断熱材の全面を覆っているため、該発泡断熱材の端面部分が紫外線や水、熱などによって劣化することが防止される。
【００１７】
本発明においては、断熱性目地材が該断熱材複合タイルの前面の縁部にまで回り込んでいるよう構成してもよい（請求項２）。このように構成すると、目地部への水の侵入が十分に防止され、発泡断熱材の劣化がより確実に防止される。
【００１８】
また、この断熱材複合タイルの前面側の縁部にまで回り込んだ断熱性目地材は、断熱材複合タイルを抱え込む如く保持する作用を奏する。従って、断熱材複合タイルがタイル本体として断熱材充填部として裏面から凹陥する凹条を備えたものである場合（請求項３）において、断熱材複合タイル内部の発泡断熱材と前面側のタイル本体との付着性が低下したときでも、タイル本体が上記の前面側に回り込んだ断熱性目地材によって保持されることになり、脱落が防止される。
【００１９】
本発明では、断熱性目地材は板状であり、前記断熱材複合タイルの端面に対し接着剤で接着されている構成（請求項４）としてもよい。この場合も、断熱材複合タイル内部の発泡断熱材が紫外線、水、熱などから十分に保持される。
【００２０】
本発明において、断熱性目地材は中空バルーンを含有した接着剤であってもよい（請求項５）。この場合、この断熱性接着剤によって断熱材複合タイルの裏面を壁面に接着してもよく（請求項６）、このようにすれば壁の断熱性がさらに向上する。
【００２１】
断熱性目地材として、熱伝導率が発泡断熱材の熱伝導率と同等以下のものを採用することにより（請求項７）、壁面の断熱性が向上する。
【００２２】
請求項８，９の断熱材複合タイルの施工方法によると、請求項４のタイル施工構造を効率よく構築することができる。
【発明を実施するための最良の形態】
【００２３】
以下、図面を参照して本発明の実施の形態について説明する。第１図（ａ）は実施の形態に係るタイル施工構造に用いられる断熱材複合タイルの斜視図、第１図（ｂ）はこの断熱材複合タイルの施工構造を示す水平断面図、第２図ないし第６図はそれぞれ別の実施の形態の説明図である。
【００２４】
第１図に示す実施の形態では、断熱材複合タイル１は、空洞部２ａを有したタイル本体２と、該空洞部２ａに充填されたポリウレタンフォーム、ポリスチレンフォーム等の合成樹脂発泡体よりなる発泡断熱材３とを有する。空洞部２ａは、タイル本体２の一方の端面から他方の端面にまで延在する貫通孔よりなる。発泡断熱材３は、この空洞部２ａ内にて発泡されたものであってもよく、予め発泡させたものを空洞部２ａ内に挿入されたものであってもよい。この発泡断熱材３は、タイル１の端面に露呈している。
【００２５】
この断熱材複合タイル１が建築物の躯体壁面４に対しシリコン系等の弾性接着剤５を介して接着され、各タイル１同士の目地間隙に断熱性目地材６が充填されている。この断熱性目地材６は、タイル１の端面に露呈した発泡断熱材３の全体を覆っている。
【００２６】
この断熱性目地材としては、ＥＰＤＭ系、ＥＰＭ系等の弾性接着剤に中空バルーンを混合したものが好適である。中空バルーンとしては、フライアッシュ、発泡させたパーライト、ひる石などの無機発泡体のほか、発泡ポリスチレンなどの樹脂発泡体などが好適である。
【００２７】
この実施の形態では、断熱性目地材６はタイル１の前面よりもごくわずか後退しているが、タイル１の前面と面一となるように充填されてもよい。
【００２８】
このように構成されたタイル施工構造にあっては、目地材として断熱性目地材６を用いており、目地部の断熱性に優れる。また、この断熱性目地材６が断熱材複合タイル１の端面に露呈した発泡断熱材３の全面を覆っているため、該発泡断熱材３の端面部分が紫外線や水、熱などによって劣化することが防止される。
【００２９】
上記実施の形態では、接着剤系の目地材を目地間隙に充填しているが、第２図に示すように板状の断熱性目地材７をタイル１同士の目地間隙に介在させてもよい。この断熱性目地材７は、接着剤８によってタイル１の端面に接着されており、該端面に露呈した発泡断熱材３の全面を覆っている。この断熱性目地材７としては、発泡ゴム板、弾性を有した発泡合成樹脂板などが好適である。
【００３０】
第２図に示すタイル施工構造とするには、壁面４に弾性接着剤５を塗着し、タイル１を張り付けるに際し、第１のタイル１の一方の端面に接着剤８を介して板状断熱性目地材７を接着しておき、この第１のタイル１を壁面４に張り付ける。この第１のタイル１に隣接配置される第２のタイル１にあっては、この断熱性目地材７に当接される一方の端面に接着剤８を塗着しておくと共に、他方の端面に接着剤８を介して断熱性目地材７を接着しておく。そして、この第２のタイル１の該一方の端面を第１のタイル１の断熱性目地材７に押し当てるようにして該第２のタイル１を壁面４に張り付ける。
【００３１】
この第２図のタイル施工構造にあっても第１図と同様の作用効果が得られる。
【００３２】
なお、この第２図の断熱性目地材７としては、断熱材複合タイル１の発泡断熱材３と同じか又はそれよりも小さい熱伝導率を有したものが好適である。
【００３３】
この低熱伝導率の断熱性目地材７を用いると、目地部を介して壁面を流出入する熱量が著しく小さくなり、壁の断熱性が向上する。このような低熱伝導率の断熱性目地材７としては、ポリウレタンフォーム、ポリスチレンフォーム等が例示される。この低熱伝導率の断熱性目地材７の前面側にモルタル目地材を充填してもよく、充填しなくてもよい。
【００３４】
第３図（ａ）は、空洞部の代わりに凹条が設けられ、この凹条に発泡断熱材が充填された断熱材複合タイル１１の斜視図、第３図（ｂ）はこのタイル施工構造を示す水平断面図である。
【００３５】
この断熱材複合タイル１１は、タイル本体１２と、このタイル本体１２の裏面の凹条１２ａに充填された発泡断熱材１３とからなる。この凹条１２ａは、タイル本体１２の一端面から他端面にまで延在している。発泡断熱材１３は、この凹条１２ａ内にて発泡されたものが好ましいが、予め発泡成形したものを凹条１２ａに嵌合させて接着したものであってもよい。
【００３６】
この断熱材複合タイル１１が建築物の躯体壁面４に対しシリコン系等の弾性接着剤５を介して接着され、各タイル１同士の目地間隙に断熱性目地材６が充填されている。この断熱性目地材６は、タイル１１の端面に露呈した発泡断熱材１３の全体を覆っている。
【００３７】
この第３図のタイル１１の施工構造によっても、上記実施の形態と同様の作用効果が奏される。第３図では断熱性目地材６が充填されているが、第２図と同様に板状の断熱性目地材がタイル１１間に介在され、この板状の断熱性目地材がタイル１１の端面に接着剤８を介して接着される構成としてもよい。
【００３８】
第４図は断熱性目地材６をタイル１１Ａの前面側の目地縁部にまで設けた実施の形態を示す。このタイル１１Ａは、目地縁部に凹段部１４が設けられている他はタイル１１と同一構成のものである。断熱性目地材６は、タイル１１Ａの端面全体に被着すると共に、この凹段部１４内にも充填されている。符号６ａは、この凹段部１４内に充填された断熱性目地材を示している。この凹段部１４内の断熱性目地材６ａは、目地間隙内の断熱性目地材６と一連一体となっている。
【００３９】
この第４図のタイル施工構造によると、目地間隙への水の侵入が一層確実に防止される。
【００４０】
また、この第４図のタイル施工構造にあっては、タイル本体１２が前面側から断熱性目地材６ａによって保持されている。このため、万が一タイル本体１２と発泡断熱材１３との界面Ｃにおいて剥離その他の付着性低下現象が発生した場合でも、タイル本体１２が発泡断熱材１３から離脱して脱落することが防止される。
【００４１】
なお、第４図では凹段部１４が設けられているが、タイル本体１２の目地側の縁部を斜めにカットした形状とし、この部分に断熱性目地材６ａを充填するようにしてもよい。
【００４２】
また、凹段部や、斜めカット部分を設けることなく、タイルの前面側の目地縁部に断熱性目地材６が回り込むように塗着してもよい。
【００４３】
上記実施の形態ではいずれもタイル１，１１，１１Ａを弾性接着剤５によって壁面４に張り付けているが、第５図のように断熱性を有した弾性接着剤１５によってタイル張りしてもよい。第５図ではタイル１が示されているが、タイル１１，１１Ａであってもよい。この断熱性を有した弾性接着剤としては、上記の中空バルーンを混合した弾性接着剤が好適である。
【００４４】
この断熱性を有した接着剤によってタイル張りした場合、接着剤１５の層が断熱層として機能するようになり、壁面の断熱性が向上する。第５図では断熱性目地材６を用いているが、第２図の板状の断熱性目地材７を用いてもよい。
【００４５】
第５図では断熱性弾性接着剤１５はタイル１同士の目地間隙に入り込んでいないが、第６図の如く断熱性弾性接着剤１５が目地間隙に部分的に入り込むようにしてもよい。例えば、断熱性弾性接着剤１５を壁面４に塗着した後、タイル１を押し付けるようにしてタイル張りする際に、タイル１を少し強く押して目地間に接着剤１５が盛り上って入り込むようにする。その後、目地間隙の残余の部分に目地材６を充填することにより、第６図の構造となる。
【００４６】
上記実施の形態はいずれも本発明の一例であり、本発明は図示以外の形態をもとりうる。
【図面の簡単な説明】
【００４７】
【図１】（ａ）図は断熱材複合タイルの斜視図、（ｂ）図は実施の形態に係るタイル施工構造を示す水平断面図である。
【図２】別の実施の形態に係るタイル施工構造を示す水平断面図である。
【図３】（ａ）図は断熱材複合タイルの斜視図、（ｂ）図は実施の形態に係るタイル施工構造を示す水平断面図である。
【図４】異なる実施の形態に係るタイル施工構造を示す水平断面図である。
【図５】さらに異なる実施の形態に係るタイル施工構造を示す水平断面図である。
【図６】さらに別の実施の形態に係るタイル施工構造を示す水平断面図である。
【符号の説明】
【００４８】
１，１１，１１Ａ  断熱材複合タイル
２，１２，１２Ａ  タイル本体
３  発泡断熱材
４  壁面
５  弾性接着剤
６  断熱性目地材
７  板状の断熱性目地材
１５  断熱性弾性接着剤
【図１】
2006070586.tif 000003
【図２】
2006070586.tif 000004
【図３】
2006070586.tif 000005
【図４】
2006070586.tif 000006
【図５】
2006070586.tif 000007
【図６】
2006070586.tif 000008